(57)【要約】【課題】緊急警報放送を受信したとき、適切な防災情報を迅速に提示可能なデジタル放送受信装置を実現する。【解決手段】デジタル放送受信装置は、位置情報取得部（１３）、防災情報取得部（１４）、防災情報管理部（１５）及び記憶部（１６）を備えている。位置情報取得部（１３）は、デジタル放送受信装置の位置情報を取得する。防災情報取得部（１４）は、外部のシステムから提供される防災情報を取得する。防災情報管理部（１５）は、時刻情報と、防災情報取得部（１４）によって取得された防災情報と、位置情報取得部（１３）によって取得された位置情報とを関連づけて記憶部（１６）に書き込む。【選択図】図１
2008016916.tif 000002
【特許請求の範囲】
【請求項１】
可搬型のデジタル放送受信装置であって、
当該デジタル放送受信装置の位置情報を取得する位置情報取得部と、
外部のシステムから提供される防災情報を取得する防災情報取得部と、
各種情報を記憶する記憶部と、
時刻情報と、前記防災情報取得部によって取得された防災情報と、前記位置情報取得部によって取得された位置情報とを関連づけて前記記憶部に書き込む防災情報管理部とを備えた
ことを特徴とするデジタル放送受信装置。
【請求項２】
請求項１に記載のデジタル放送受信装置において、
外部のシステムから提供される標準時刻情報を取得する時刻情報取得部を備え、
前記防災情報管理部は、前記時刻情報として、前記時刻情報取得部によって取得された標準時刻情報を用いる
ことを特徴とするデジタル放送受信装置。
【請求項３】
請求項１に記載のデジタル放送受信装置において、
前記防災情報管理部は、緊急警報放送の受信があったとき、そのときの時刻情報及び前記位置情報取得部によって取得された位置情報に基づいて、前記記憶部に記憶されている防災情報の中から所定の条件に該当するものを読み出すものであり、
前記防災情報管理部によって読み出された防災情報をユーザインタフェースを介して提示する提示制御部を備えた
ことを特徴とするデジタル放送受信装置。
【請求項４】
請求項１に記載のデジタル放送受信装置において、
前記防災情報取得部は、所定の周期で防災情報を取得する
ことを特徴とするデジタル放送受信装置。
【請求項５】
請求項１に記載のデジタル放送受信装置において、
前記防災情報取得部は、当該デジタル放送受信装置が直近に防災情報を取得した位置から所定距離だけ移動したとき、防災情報を取得する
ことを特徴とするデジタル放送受信装置。
【請求項６】
請求項１に記載のデジタル放送受信装置において、
前記防災情報取得部は、防災情報の提供エリアが変わったとき、防災情報を取得する
ことを特徴とするデジタル放送受信装置。
【請求項７】
請求項１に記載のデジタル放送受信装置において、
前記防災情報取得部は、防災情報の取得の指示を受けたとき、防災情報を取得する
ことを特徴とするデジタル放送受信装置。
【発明の詳細な説明】
【技術分野】
【０００１】
本発明は、デジタル放送受信装置に関し、特に、可搬型のデジタル放送受信装置に関する。
【背景技術】
【０００２】
大地震や津波などの災害発生時には、放送事業者等から緊急警報放送が行われる。緊急警報放送を受信したとき、あらかじめ設定された避難場所及び連絡先等の防災情報を表示する緊急警報受信装置が公知である（例えば、特許文献１参照）。
【０００３】
緊急警報放送を受信するためには、テレビジョン放送受信機能を備えていることが必要である。このため、緊急警報放送の受信装置は、家庭内での据え置き型が一般的であった。近年、地上デジタル放送等の普及によりデジタルテレビジョン放送受信機能を備えた携帯電話端末等でも緊急警報放送を受信することが可能となっている。
【特許文献１】実開昭６２−１５４５９８号公報
【発明の開示】
【発明が解決しようとする課題】
【０００４】
携帯電話端末等により緊急警報放送を受信した場合、そのときの当該携帯電話端末の位置によって提示すべき防災情報が異なる。例えば、自宅で被災した場合と、電車の中など移動先で被災した場合とでは、提示すべき避難場所や連絡先が異なる。緊急警報放送を受信してからその場に応じた防災情報を取得しようとすると、通信網へのアクセスの集中や通信網の破壊等により、迅速に情報を取得することができないばかりか、全く取得できなくなるおそれもある。
【０００５】
上記問題に鑑み、本発明は、緊急警報放送を受信したとき、適切な防災情報を迅速に提示することが可能なデジタル放送受信装置を実現することを課題とする。
【課題を解決するための手段】
【０００６】
上記課題を解決するために本発明が講じた手段は、可搬型のデジタル放送受信装置であって、当該デジタル放送受信装置の位置情報を取得する位置情報取得部と、外部のシステムから提供される防災情報を取得する防災情報取得部と、各種情報を記憶する記憶部と、時刻情報と、防災情報取得部によって取得された防災情報と、位置情報取得部によって取得された位置情報とを関連づけて記憶部に書き込む防災情報管理部とを備えたものとする。
【０００７】
これによると、位置情報取得部によって位置情報が取得され、防災情報取得部によって防災情報が取得され、防災情報管理部によって、時刻情報及び位置情報と関連づけられた防災情報が記憶部に書き込まれる。したがって、緊急警報放送を受信したとき、防災情報を外部システムから取得することなく、すぐに提示できるようにあらかじめ防災情報を記憶しておくことが可能となる。
【０００８】
好ましくは、上記のデジタル放送受信装置は、外部のシステムから提供される標準時刻情報を取得する時刻情報取得部を備えたものとする。ここで、防災情報管理部は、時刻情報として、時刻情報取得部によって取得された標準時刻情報を用いるものとする。
【０００９】
これによると、時刻情報として外部のシステムから提供される標準時刻情報が用いられるため、デジタル放送受信装置の内部時計が狂った場合でも正確な時刻情報を用いて防災情報を管理することができる。
【００１０】
好ましくは、防災情報管理部は、緊急警報放送の受信があったとき、そのときの時刻情報及び前記位置情報取得部によって取得された位置情報に基づいて、前記記憶部に記憶されている防災情報の中から所定の条件に該当するものを読み出すものとする。また、上記のデジタル放送受信装置は、前記防災情報管理部によって読み出された防災情報をユーザインタフェースを介して提示する提示制御部を備えたものとする。
【００１１】
これによると、緊急警報放送を受信したとき、記憶部に記憶されている防災情報の中から適切なものが読み出されて提示される。
【００１２】
具体的には、防災情報取得部は、所定の周期で防災情報を取得するものとする。
【００１３】
また、具体的には、防災情報取得部は、当該デジタル放送受信装置が直近に防災情報を取得した位置から所定距離だけ移動したとき、防災情報を取得するものとする。
【００１４】
また、具体的には、防災情報取得部は、防災情報の提供エリアが変わったとき、防災情報を取得するものとする。
【００１５】
また、具体的には、防災情報取得部は、防災情報の取得の指示を受けたとき、防災情報を取得するものとする。
【発明の効果】
【００１６】
以上、本発明によると、緊急警報放送を受信したとき、適切な防災情報を迅速にユーザに提示することができる。
【発明を実施するための最良の形態】
【００１７】
以下、本発明を実施するための最良の形態について、図面を参照しながら説明する。図１は、本発明に係るデジタル放送受信装置の構成の一例を示す。本デジタル放送受信装置１は、放送受信部１１、時刻情報取得部１２、位置情報取得部１３、防災情報取得部１４、防災情報管理部１５、記憶部１６、提示制御部１７、ユーザインタフェース１８及び入力部１９を備えた携帯電話端末である。
【００１８】
放送受信部１１は、デジタルテレビジョン放送局等から発信された放送波を受信する。図２は、放送受信部１１の構成の一例を示す。放送受信部１１は、チューナ１１１、ＴＳ（Transport Stream）デコーダ１１２、音声ＰＥＳ（Packetized Elementary Stream）処理部１１３、映像ＰＥＳ処理部１１４、データセクション処理部１１５、ＰＳＩ（Program Specific Information）処理部１１６及びＳＩ（Service Information）処理部１１７を備えている。チューナ１１１は、映像及び音声などのデータが多重化された信号であるＴＳを受信する。ＴＳデコーダ１１２は、チューナ１１１によって受信されたＴＳを音声ＰＥＳ、映像ＰＥＳ、データセクション、ＰＳＩ及びＳＩに分離する。音声ＰＥＳ処理部１１３、映像ＰＥＳ処理部１１４、データセクション処理部１１５、ＰＳＩ処理部１１６及びＳＩ処理部１１７の各部は、ＴＳデコーダ１１２によって分離された情報の処理を行う。緊急警報放送のコンテンツであるか否かは、ＰＳＩに記述された情報により識別可能となっている。
【００１９】
図１に戻って、時刻情報取得部１２は、時刻情報として、外部のシステムから提供される標準時刻を取得する。ここで、標準時刻は、独立行政法人情報通信研究機構により決定された日本の標準時である。位置情報取得部１３は、ＧＰＳ（Global Positioning System）等を用いて、デジタル放送受信装置１の位置情報を取得する。
【００２０】
防災情報取得部１４は、外部のシステムから提供される防災情報を取得する。具体的には、防災情報取得部１４は、通信機能を備えており、地理情報システムＧＩＳ（Geographic Information System）等を利用して、災害発生時の避難場所や連絡先等の防災情報を取得する。防災情報取得部１４は、防災情報の取得処理を実行させるためのスケジューラ機能を有し、時刻情報取得部１２が取得した時刻情報に基づいて所定の周期で防災情報を取得してもよい。また、位置情報取得部１３が取得した位置と直近に防災情報を取得した位置とを比較して移動距離を算出し、所定距離だけ移動したとき防災情報を取得してもよい。また、位置情報取得部１３が取得した位置情報と地図情報とを連動させることにより防災情報の提供エリアを把握し、このエリアが変わったとき防災情報を取得してもよい。防災情報取得部１４は、上記の防災情報の取得タイミングに加えて、入力部１９を介して防災情報の取得の指示があったとき防災情報を取得してもよい。
【００２１】
防災情報管理部１５は、時刻情報取得部１２が取得した時刻情報、位置情報取得部１３が取得した位置情報及び防災情報取得部１４が取得した防災情報を受け、防災情報とその取得位置及び取得時間を関連づけて記憶部１６に書き込む。また、防災情報管理部１５は、放送受信部１１が緊急警報放送を受信したとき、時刻情報取得部１２が取得した時刻情報及び位置情報取得部１３が取得した位置情報を受け、そのときの時刻及び位置に基づいて、記憶部１６に記憶されている防災情報の中から所定の条件に該当するものを読み出す。具体的には、防災情報管理部１５は、緊急警報放送の受信があったとき、記憶部１６に記憶されている防災情報を最新のものから順次スキャンする。そして、緊急警報放送の受信があった時刻から所定の時間内に取得された防災情報のうち、そのときの位置から所定の距離内で取得された防災情報を所定の条件として、この条件に該当する防災情報を読み出す。なお、記憶部１６に記憶される防災情報が１つの場合には、防災情報管理部１５は、緊急警報放送を受信したとき、記憶されている防災情報を読み出して、上記に示した所定の条件を満たしているか否かを判定してもよい。
【００２２】
記憶部１６に記憶されている防災情報は編集可能である。例えば、ＴｏＤｏリストや防災用品等の外部から取得した防災情報には含まれていない情報がユーザによって入力部１９を介して入力されると、防災情報管理部１５は、これらの情報を記憶部１６に記憶されている防災情報に追加し、提示すべき防災情報の内容を更新する。
【００２３】
提示制御部１７は、防災情報管理部１５が読み出した防災情報をスピーカ又は液晶画面等のユーザインタフェース１８を介してユーザに提示する。
【００２４】
次に、図３のフローチャートを参照しながら、デジタル放送受信装置１の防災情報取得動作の一例について説明する。時刻情報取得部１２が取得した時刻情報を受けて、現在時刻を取得すると（Ｓ１１）、現在時刻及び直近に防災情報が取得された時刻に基づいて、直近の防災情報の取得時刻からの経過時間が算出される（Ｓ１２）。そして、ステップＳ１２において算出された経過時間が所定時間内であるか否かが判定される（Ｓ１３）。経過時間が所定時間内でないと判定されたとき（Ｓ１３のＮＯ肢）、位置情報取得部１３が取得した位置情報を受けて、現在位置を取得する（Ｓ１４）。そして、現在位置及び直近に防災情報が取得された位置に基づいて、直近の防災情報の取得位置からの移動距離が算出される（Ｓ１５）。ステップＳ１５において算出された移動距離が所定距離以上であるか否かが判定され（Ｓ１６）、所定距離以上移動したと判定されたとき（Ｓ１６のＹＥＳ肢）、防災情報が取得される（Ｓ１７）。ステップＳ１７における防災情報の取得が成功すると（Ｓ１８のＹＥＳ肢）、当該防災情報が、取得時間及び取得位置を示す情報とともに記憶部１６に書き込まれ（Ｓ１９）、処理が終了する。
【００２５】
一方、ステップＳ１２において算出された経過時間が所定時間内であると判定された（Ｓ１３のＹＥＳ肢）、又はステップＳ１５において算出された移動距離が所定距離以上でないと判定された（Ｓ１６のＮＯ肢）、又は防災情報の取得に失敗した（Ｓ１８のＮＯ肢）ときには、ステップＳ１１に戻り処理を続行する。
【００２６】
続いて、図４のフローチャートを参照しながら、緊急警報放送の受信があった場合におけるデジタル放送受信装置１の防災情報提示動作の一例について説明する。ここで、記憶部１６に記憶される防災情報は１つであるものとする。
【００２７】
放送受信部１１が緊急警報放送を受信すると（Ｓ２１）、時刻情報取得部１２が取得した時刻情報及び位置情報取得部１３が取得した位置情報を受けて、現在時刻及び現在位置を取得する（Ｓ２２）。そして、記憶部１６に格納されている防災情報があるとき（Ｓ２３のＹＥＳ肢）、当該防災情報が記憶部１６から読み出される（Ｓ２４）。ステップＳ２４では、防災情報とともに、当該情報の取得時間及び取得位置が読み出される。
【００２８】
ステップＳ２４において読み出された防災情報の取得時間及び取得位置と、ステップＳ２２において取得された現在時刻及び現在位置とがそれぞれ比較され（Ｓ２５）、ステップＳ２４において読み出された防災情報が、現在位置から所定範囲内に取得されたものであって、且つ、現在時刻から所定時間内に取得されたものであるか否かが判定される（Ｓ２６）。ステップＳ２４において読み出された防災情報が、所定範囲内且つ所定時間内に取得されたものである場合には（Ｓ２６のＹＥＳ肢）、その防災情報がユーザに提示されて（Ｓ２７）処理が終了する。
【００２９】
一方、記憶部１６に格納されている防災情報がないとき（Ｓ２３のＮＯ肢）、又はステップＳ２４において読み出された防災情報が現在位置から所定範囲内に取得されたものでない又は現在時刻から所定時間内に取得されたものでないとき（Ｓ２６のＮＯ肢）には、防災情報が外部から取得され（Ｓ２８）、その情報がユーザに提示されて（Ｓ２７）処理が終了する。
【００３０】
以上、本実施形態によると、緊急警報放送を受信したとき、特に防災情報を外部のシステムから受信することなく、記憶部に記憶されている防災情報の中から読み出してユーザに提示することができる。したがって、災害発生時における通信網へのアクセスの集中等により外部から防災情報を取得することが困難な場合であっても、適切な防災情報を迅速にユーザに提示することができる。
【００３１】
なお、デジタル放送受信装置１の内部時計から時刻情報を取得する場合には、特に時刻情報取得部１２を備えていなくてもかまわない。また、防災情報取得部１４が防災情報の提供エリアが変わったとき防災情報を取得する場合には、図３のステップＳ１５及びステップＳ１６に代えて、都道府県又は市町村が変わったか否かを判定してもよい。
【００３２】
また、記憶部１６に複数の防災情報が記憶されている場合には、提示制御部１７は、最新のものから順次スキャンして、所定の条件に該当するものが検出された時点でその防災情報を読み出して提示するようにしてもよい。また、記憶されている全ての防災情報をスキャンして所定の条件に該当するもののうち最適なものを読み出して提示するようにしてもよい。記憶部１６に記憶されている防災情報の中に所定の条件に該当するものがない場合には、現在位置に最も近い地域の防災情報を提示してもよいし、記憶部１６に記憶されている全ての防災情報を提示してもよい。
【産業上の利用可能性】
【００３３】
本発明に係るデジタル放送受信装置は、緊急警報放送を受信したとき、適切な防災情報を迅速に提示することができるため、デジタルテレビジョン放送受信機能を備えた携帯電話機やカーナビゲーションシステム等として有用である。
【図面の簡単な説明】
【００３４】
【図１】本発明に係るデジタル放送受信装置の構成の一例を示す図である。
【図２】図１における放送受信部の構成の一例を示す図である。
【図３】図１に示したデジタル放送受信装置の防災情報取得動作の一例を説明するフローチャートである。
【図４】図１に示したデジタル放送受信装置の防災情報提示動作の一例を説明するフローチャートである。
【符号の説明】
【００３５】
１  デジタル放送受信装置
１２  時刻情報取得部
１３  位置情報取得部
１４  防災情報取得部
１５  防災情報管理部
１６  記憶部
１７  提示制御部
１８  ユーザインタフェース
【図１】
2008016916.tif 000003
【図２】
2008016916.tif 000004
【図３】
2008016916.tif 000005
【図４】
2008016916.tif 000006